(57)【要約】【課題】電池を電池収納部に保持しつつ、記録媒体の開閉蓋の開閉により、電池端子のセルフクリーニングが出来る携帯型音響装置の電池収納機構を提供する。【解決手段】電池４を収納するときはネジリバネの付勢力と成形バネの付勢力とが、電池４が所定の場所  （実線の位置）に納まるようにバランスよく保たれており電池４のプラス極とマイナス極の各々がプラス側端子６及びマイナス側端子７とに、正しい位置で接触している状態になっている。ここで開閉蓋９を開くと、ネジリバネの付勢力が減少し、電池４が右方  （点線の位置）へ移動する。また開閉蓋９を閉じると、電池４が左方へ移動し、ネジリバネの付勢力と成形バネの付勢力が収納時の付勢力にもどるため、電池４は左方  （実線の位置）に移動する。【選択図】  図２
2004335372.tif 000002
【特許請求の範囲】
【請求項１】
開閉蓋を有する単一のケースに挿抜可能な記憶媒体と電池とを収納する電子機器の電池収納機構において、
電池を収納するとともに電気的に接続するためのプラス側端子及びマイナス側端子を備える電池収納部と、
電池収納部を覆い、前記電池を挟んで前記開閉蓋と反対側に設けられた収納蓋と、
前記収納された電池と、前記開閉蓋との間に取り付けられ、前記開閉蓋を閉じたときに前記電池を収納蓋の方向に付勢する第１付勢手段と、
前記収納蓋に取り付けられ、前記電池収納部に収納された電池を前記開閉蓋の方向に付勢する第２付勢手段と、
を有する電池収納機構。
【請求項２】
前記第１付勢手段は、一方の腕が前記記録媒体着脱の為の開閉蓋に当接し、他方の腕が前記電池に当接するＶ字型のネジリバネである、
請求項１に記載の電池収納機構。
【発明の詳細な説明】
【０００１】
【発明の属する技術分野】
この発明は、単一のケースに挿抜可能な記憶媒体と電池とを収納する電子機器の電池収納機構に関するものである。
【０００２】
【従来の技術】
従来、ポータブルＭＤのような携帯型音響装置においては本体にＭＤと電池とが一つの本体内に装着され、電池は電池装着部に装着されていた。従来のポータブルＭＤの電池装着部について、図３（Ａ）、図３（Ｂ）、図３（Ｃ）を参照して説明する。図３（Ａ）は正面一部構成図、図３（Ｂ）は側面一部構成図、図３（Ｃ）は底面一部構成図である。このポータブルＭＤは、ケース３と、電池収納部１と、ＭＤ収納部１３と、電池４の収納蓋２と、ＭＤ１２の開閉蓋９と、を備えている。電池収納部１には電気的に接続するためのプラス側端子６及びマイナス側端子７があって、所定方向に電池４を収納することで本体に通電していた。電池４の収納蓋２は電池４の一端を支持部１４で付勢し、電池４を所定の位置に固定させていた。また、ＭＤ収納部１３は電池収納部１の上部にありＭＤ１２の開閉蓋９によりＭＤ１２を挿抜可能にしていた。この構造では、電池４装着後電池端子のメッキ不良による錆、汚れ等により電池接触不良を起こすと、電池４が加熱するなど動作不良を起こす可能性があった。そのような場合、電池４を取り出して、汚れをふきとり対処していた。しかし、この方法では、煩雑さを避けることが出来なかった。そこで電池の蓋を開けるのと同時に、端子部をクリーニングする装置が考案された。この装置は電池蓋と電池接触端子とが一体化され、前記電池蓋が回転すると同時に電池接触端子が一体になって回転する。このとき接触端子が電池端子部を擦るため、電池端子部がクリーニングされ、蓋を閉じたときには電池接触端子が電池を固定して、通電する  （例えば特許文献１参照）。
【０００３】
【特許文献１】
特開平９−１３０４６０号公報
【０００４】
【発明が解決しようとする課題】
ところが上述する方法では電池装着部を開けると電池が開放されて落下することがあり、取り扱いを慎重にせざるをえなかった。この発明の目的は、電池を電池収納部に保持しつつもセルフクリーニングが出来る携帯型音響装置の電池収納機構を提供することにある。
【０００５】
【課題を解決するための手段】
開閉蓋を有する単一のケースに着脱可能な記録媒体と電池とを収納する携帯型音響装置の電池収納機構において、
電池を収納するとともに電気的に接続するためのプラス側端子及びマイナス側端子を備える電池収納部と、
電池収納部を覆い、前記電池を挟んで前記開閉蓋と反対側に設けられた収納蓋と、
前記収納された電池と、前記開閉蓋との間に取り付けられ、前記開閉蓋を閉じたときに前記電池を収納蓋の方向に付勢する第１付勢手段と、
前記収納蓋に取り付けられ、前記電池収納部に収納された電池を前記開閉蓋の方向に付勢する第２付勢手段と、
を有することを特徴としている。
【０００６】
この構成では、電池を収納した状態のとき、第１  付勢手段の付勢力と第２付勢手段の付勢力とが、電池が所定の場所に納まるようにバランスよく保たれており電池のプラス極とマイナス極の各々がプラス側端子及びマイナス側端子とに、正しい位置で接触している状態になっている。
ここで開閉蓋を開くと、第１付勢手段の付勢力が減少し、電池が右方へ移動する。このため電池を収納部に保持しつつも、電池の端子と電池収納部の端子が移動により擦れ、この部分のごみなどのセルフクリーニングを行うことが出来る。
【０００７】
また蓋を閉じると、電池が左方へ移動し、第１付勢手段の付勢力と第２付製手段の付勢力が収納時の付勢力にもどる。このため、このときにおいても電池の端子と電池収納部の端子が移動により擦れ、この部分のごみなどのセルフクリーニングを行うことが出来る。
この発明は、前記第１付勢手段は、一方の腕が前記記録媒体着脱の為の開閉蓋に当接し、他方の腕が前記電池に当接するＶ字型のネジリバネである、
ことを特徴としている。
【０００８】
この構成では、バネを利用して簡単な構造になる。
【０００９】
【発明の実施の形態】
以下に、本発明の実施形態に係るポータブルＭＤ機器の電池収納機構について図  １、図２を参照しつつ詳細に説明する。
【００１０】
この電池収納機構は、図１に示すように電池収納部  １と、収納蓋２と、第１付勢手段と、第２付勢手段と、を備えている。
【００１１】
電池収納部１は箱状のケース３内に設けられ、電池４を収納する略半筒状の電池受部５と、＋側電池端子６と−側電池端子７とを備えている。その−側電池端子７はばね部材から成っている。
【００１２】
収納蓋２は、ケース３に形成された電池挿入口に対して、係脱自在かつ、閉開自在に設けられている。即ち収納蓋２を閉じると電池挿入口に係合し、その係合を外すと、収納蓋２を開くことが出来る。
【００１３】
第１付勢手段は、例えばＶ字型のネジリバネ８であり電池収納部１に取り付けられている。そのネジリバネ８の一端が電池受部５の略中央位置に形成されている切欠５０を介して電池４に当接し、他端が開閉蓋  （例えばＭＤ蓋）９に当接し、該開閉蓋９を閉じると電池は図２の左方向に付勢される。
【００１４】
第２付勢手段は、収納蓋２の内側に一体的に形成された成形バネ１３であり収納蓋２を閉じると電池４に当接し、その電池４を図２の右方向に付勢する。
【００１５】
開閉蓋９は、ケース６に対してヒンジ部１１を介して図１（Ａ）で図示するように、開閉自在に取り付けられ、開いた状態では、ＭＤ１２  （記憶媒体）をケース内部に対して挿抜することが出来る。
【００１６】
以上の構成で、電池４を収納しているときは、ネジリバネ８の一端が電池受部５の切欠５０を介して電池４を押圧している。このとき、ネジリバネ８の付勢力と成形バネ１０の付勢力とが、電池４が所定の場所  （実線の位置）に納まるようにバランスよく保たれており電池４のプラス極とマイナス極の各々がプラス側端子６及びマイナス側端子７とに、正しい位置で接触している状態になっている。
ここで、開閉蓋９を開くと、ネジリバネ８の付勢力が減少し、電池４が右方  （点線の位置）へ移動する。
【００１７】
また開閉蓋９を閉じると、電池４が左方へ移動し、ネジリバネ８の付勢力と成形バネ１０の付勢力が収納時の付勢力にもどるため、電池４は左方  （実線の位置）に移動する。
【００１８】
このように開閉蓋９を開閉することにより、電池４を収納部に保持しつつ、電池の端子部と電池収納部の端子６，７とが移動により擦れ、これにより電池端子部のごみなどのセルフクリーニングを行うことが出来る。
【００１９】
本実施例では、ポータブルＭＤの場合について説明したが、開閉蓋と、電池収納部を備えるものであれば他のものであっても良い。
【００２０】
【発明の効果】
電池を電池収納部に保持しつつ、記憶媒体の開閉蓋の開閉により、電池端子のセルフクリーニングが出来る携帯型音響装置の電池収納機構を提供できる。
【図面の簡単な説明】
【図１】（Ａ）本発明の実施形態における正面一部構成図
（Ｂ）本発明の実施形態における側面一部構成図
（Ｃ）本発明の実施形態における底面一部構成図
【図２】本発明の実施形態における側面一部構成図の詳細拡大図
【図３】（Ａ）従来の電子機器における  正面一部構成図
（Ｂ）従来の電子機器における側面一部構成図
（Ｃ）従来の電子機器における底面一部構成図
【図１】
2004335372.tif 000003
【図２】
2004335372.tif 000004
【図３】
2004335372.tif 000005